【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるアップリンク送信のための方法であって、
アップリンクチャネル上でのデータ送信のためのアップリンク許可を受信することと、ここにおいて、前記アップリンク許可は、第１のリソースブロックインターレース割り当てを含む、
前記アップリンク許可に含まれる前記割り当てに基づいて、競争ベースのスペクトルを通じてチャネル使用ビーコン信号（ＣＵＢＳ）を送るためのリソースブロックを決定することと、ここにおいて、前記ＣＵＢＳは、前記データ送信のための前記アップリンクチャネルをリザーブし、前記データ送信が、前記割り当てに従って前記ＣＵＢＳが送られることになるものに後続するサブフレームにおいて続くこととなると示す、
前記アップリンクチャネル上の成功したクリアチャネル評価に応答して、前記データ送信のための前記後続のサブフレームに直接先行する前記サブフレームにおいて前記ＣＵＢＳを送信することと、
を備える、方法。
【請求項２】
第２のリソースブロックインターレース割り当て含む第２のアップリンク許可を検出すること、ここにおいて、
前記リソースブロックは、前記第２のアップリンク許可に含まれる前記割り当てに基づいて決定される、
をさらに備える、請求項１に記載の方法。
【請求項３】
チャネルリザベーション信号に関するリソースブロック割り当てをｅノードＢから受信することと、
前記先行するサブフレームにおける前記リソースブロックへの割り当てを持つ第２のアップリンク許可に関してモニタリングすることと、
をさらに備え、ここにおいて、
前記リソースブロックは、前記第２のアップリンク許可において受信された前記割り当てに基づいて決定され、
前記リソースブロックは、第２のアップリンク許可が受信されていないという条件で、前記チャネルリザベーション信号に関する前記割り当てに基づいて決定される、
請求項１に記載の方法。
【請求項４】
前記チャネルリザベーション信号に関する前記割り当ては、他のＵＥと共用される、請求項３に記載の方法。
【請求項５】
前記リソースブロックは、前記先行するサブフレームがダウンリンクサブフレームのセットからアップリンクサブフレームのセットへの移行のために使用される特殊サブフレームであるという条件で、前記アップリンク許可において受信される前記割り当てに基づいて決定される、請求項３に記載の方法。
【請求項６】
チャネルリザベーション信号に関するリソースブロック割り当てをｅノードＢから受信すること、
をさらに備え、ここにおいて、
前記リソースブロックは、前記先行するサブフレームがダウンリンクサブフレームのセットからアップリンクサブフレームのセットへの移行のために使用される特殊サブフレームでないという条件で、前記チャネルリザベーション信号に関する前記割り当てに基づいて決定され、
前記リソースブロックは、前記先行するサブフレームが前記特殊サブフレームであるという条件で、前記アップリンク許可において受信される前記割り当てに基づいて決定される、
請求項１に記載の方法。
【請求項７】
前記チャネルリザベーション信号に関する前記リソースブロック割り当ては、他のＵＥと共用される、請求項６に記載の方法。
【請求項８】
前記ＣＵＢＳを送信することは、前記リソースブロックにおけるトーンのサブセット上で前記ＣＵＢＳを送信することを備える、請求項１に記載の方法。
【請求項９】
前記ＣＵＢＳは、前記サブフレームにおけるシンボル境界と整列されずに、前記シンボル境界と整列されない時間に前記クリアチャネル評価を受信することに応じて、送信される、請求項８に記載の方法。
【請求項１０】
前記クリアチャネル評価を受信する前記時間におけるシンボルと次のサブフレーム境界との間の全てのシンボルを占有するために複数の追加のＣＵＢＳを送信することをさらに備える、請求項８に記載の方法。
【請求項１１】
前記複数の追加のＣＵＢＳは、トーンの前記サブセットに割り当てられる少なくとも１つのＣＵＢＳ、およびリソースブロックインターレースの全てのトーンに割り当てられる少なくとも１つのＣＵＢＳを含む、請求項１０に記載の方法。
【請求項１２】
前記ＵＥによって受信される全てのリソースブロック割り当て中の第１のアップリンクサブフレームに基づいて、アップリンク送信同期境界を決定することをさらに備える、請求項１に記載の方法。
【請求項１３】
リソースブロック割り当てを有さない１つまたは複数のアップリンクサブフレームに続く全ての第１のアップリンクサブフレームに基づいて、アップリンク送信同期境界を決定することをさらに備える、請求項１に記載の方法。
【請求項１４】
ユーザ機器（ＵＥ）によるアップリンク送信のための装置であって、
アップリンクチャネル上でのデータ送信のためのアップリンク許可を受信するための手段と、ここにおいて、前記アップリンク許可は、第１のリソースブロックインターレース割り当てを含む、
前記アップリンク許可に含まれる前記割り当てに基づいて、競争ベースのスペクトルを通じてチャネル使用ビーコン信号（ＣＵＢＳ）を送るためのリソースブロックを決定するための手段と、ここにおいて、前記ＣＵＢＳは、前記ＵＥが前記割り当てに従って前記ＣＵＢＳが送られることになるものに後続するサブフレームにおいて前記データ送信を送ることになると示すことによって、前記データ送信のための前記アップリンクチャネルをリザーブする、
前記アップリンクチャネル上で成功したクリアチャネル評価を行うことに応答して、前記データ送信のための前記後続のサブフレームに直接先行する前記サブフレームにおいて前記ＣＵＢＳを送信するための手段と、
を備える、装置。
【請求項１５】
アップリンク送信のためにリソースを割り振るためのコンピュータ実行可能コードを記憶するコンピュータ可読媒体であって、ユーザ機器（ＵＥ）に、請求項１〜請求項１３のうちのいずれか１つの方法を行わせるためのコードを備える、コンピュータ可読媒体。
【手続補正２】
【補正対象書類名】明細書
【補正対象項目名】００９３
【補正方法】変更
【補正の内容】
【００９３】
[00105]  前述の開示が例示的な態様を図示する一方、様々な変化および修正が、添付の請求項によって定義されるような本開示の範囲から逸脱することなく、本明細書においてなされ得るであろうことは留意されるべきである。本明細書で説明される本開示の態様に従った方法の請求項の機能、ステップ、および／または動作は、何らかの特別の順序で行われることを必要としない。さらに、ある特定の態様は単数形で説明または請求されることがあるものの、単数形への限定が明白に述べられない限り、複数形が予期される。  以下に本願の出願当初の特許請求の範囲に記載された発明を付記する。
[Ｃ１]  ユーザ機器（ＵＥ）によるアップリンク送信のための方法であって、
アップリンクチャネル上のサブフレームにおけるデータ送信のためのアップリンク許可を受信することと、ここにおいて、前記アップリンク許可は、リソースブロックへの割り当てを含む、
前記アップリンク許可に含まれる前記割り当てに基づいて、競争ベースのスペクトルを通じてチャネル使用ビーコン信号（ＣＵＢＳ）を送るためのリソースブロックを決定することと、ここにおいて、前記ＣＵＢＳは、前記データ送信のための前記アップリンクチャネルをリザーブし、前記データ送信が、前記割り当てに従って後のサブフレームにおいて続くこととなると示す、
前記アップリンクチャネル上の成功したクリアチャネル評価に応答して、前記リソースブロック上で先行するサブフレームにおいて前記ＣＵＢＳを送信することと、ここにおいて、前記先行するサブフレームは、前記データ送信のための前記サブフレームに直接先行する、
を備える、方法。
[Ｃ２]  前記リソースブロックは、前記アップリンク許可に含まれる前記割り当てに基づいて決定される、Ｃ１に記載の方法。
[Ｃ３]  前記先行するサブフレームにおいてリソースブロックへの割り当てを含む第２のアップリンク許可を検出すること、ここにおいて、
前記リソースブロックは、前記第２のアップリンク許可に含まれる前記割り当てに基づいて決定される、
をさらに備える、Ｃ１に記載の方法。
[Ｃ４]  チャネルリザベーション信号に関するリソースブロック割り当てをｅノードＢから受信することと、
前記先行するサブフレームにおけるリソースブロックへの割り当てを持つ第２のアップリンク許可に関してモニタリングすることと、
をさらに備え、ここにおいて、
前記リソースブロックは、前記第２のアップリンク許可において受信された前記割り当てに基づいて決定され、
前記リソースブロックは、第２のアップリンク許可が受信されていないという条件で、前記チャネルリザベーション信号に関する前記割り当てに基づいて決定される、
Ｃ１に記載の方法。
[Ｃ５]  前記チャネルリザベーション信号に関する前記割り当ては、他のＵＥと共用される、Ｃ４に記載の方法。
[Ｃ６]  前記リソースブロックは、前記先行するサブフレームがダウンリンクサブフレームのセットからアップリンクサブフレームのセットへの移行のために使用される特殊サブフレームであるという条件で、前記アップリンク許可において受信される前記割り当てに基づいて決定される、Ｃ４に記載の方法。
[Ｃ７]  チャネルリザベーション信号に関するリソースブロック割り当てをｅノードＢから受信することと、
をさらに備え、ここにおいて、
前記リソースブロックは、前記先行するサブフレームがダウンリンクサブフレームのセットからアップリンクサブフレームのセットへの移行のために使用される特殊サブフレームでないという条件で、前記チャネルリザベーション信号に関する前記割り当てに基づいて決定され、
前記リソースブロックは、前記先行するサブフレームが前記特殊サブフレームであるという条件で、前記アップリンク許可において受信される前記割り当てに基づいて決定される、
Ｃ１に記載の方法。
[Ｃ８]  前記チャネルリザベーション信号に関する前記リソースブロック割り当ては、他のＵＥと共用される、Ｃ７に記載の方法。
[Ｃ９]  前記ＣＵＢＳを送信することは、前記リソースブロックにおけるトーンのサブセット上で前記ＣＵＢＳを送信することを備える、Ｃ１に記載の方法。
[Ｃ１０]  前記ＣＵＢＳは、前記サブフレームにおけるシンボル境界と整列されずに、前記シンボル境界と整列されない時間に前記クリアチャネル評価を受信することに応じて、送信される、Ｃ９に記載の方法。
[Ｃ１１]  前記クリアチャネル評価を受信する前記時間におけるシンボルと次のサブフレーム境界との間の全てのシンボルを占有するために複数の追加のＣＵＢＳを送信することをさらに備える、Ｃ９に記載の方法。
[Ｃ１２]  前記複数の追加のＣＵＢＳは、トーンの前記サブセットに割り当てられる少なくとも１つのＣＵＢＳ、およびリソースブロックインターレースの全てのトーンに割り当てられる少なくとも１つのＣＵＢＳを含む、Ｃ１１に記載の方法。
[Ｃ１３]  前記ＵＥによって受信される全てのＲＢ割り当て中の第１のアップリンクサブフレームに基づいて、アップリンク送信同期境界を決定することをさらに備える、Ｃ１に記載の方法。
[Ｃ１４]  全ての第１のアップリンクサブフレームがＲＢ割り当てを有さない１つまたは複数のアップリンクサブフレームに続くことに基づいて、アップリンク送信同期境界を決定することをさらに備える、Ｃ１に記載の方法。
[Ｃ１５]  ユーザ機器（ＵＥ）であって、
プロセッサと、
前記プロセッサに結合されたメモリと、前記メモリは、
アップリンクチャネル上のサブフレームにおけるデータ送信のためのアップリンク許可を受信することと、ここにおいて、前記アップリンク許可は、リソースブロックへの割り当てを含む、
前記アップリンク許可に含まれる前記割り当てに基づいて、競争ベースのスペクトルを通じてチャネル使用ビーコン信号（ＣＵＢＳ）を送るためのリソースブロックを決定することと、ここにおいて、前記ＣＵＢＳは、前記ＵＥが前記割り当てに従って後のサブフレームにおいて前記データ送信を送ることになると示すことによって前記データ送信のための前記アップリンクチャネルをリザーブする、
をするために前記プロセッサによって実行可能な命令を含む、
前記アップリンクチャネル上で成功したクリアチャネル評価を実行することに応答して、前記リソースブロック上で先行するサブフレームにおいて前記ＣＵＢＳを送信するように構成された送信機と、ここにおいて、前記先行するサブフレームは、前記アップリンクデータ送信のための前記サブフレームに直接先行する、
を備える、ユーザ機器（ＵＥ）。
[Ｃ１６]  前記リソースブロックは、前記アップリンク許可に含まれる前記割り当てに基づいて決定される、Ｃ１５に記載の装置。
[Ｃ１７]  前記命令は、
前記先行するサブフレームにおいてリソースブロックへの割り当てを含む第２のアップリンク許可を検出することと、ここにおいて、
前記第２のアップリンク許可に含まれる前記割り当てに基づいて決定することと、
をするために前記プロセッサによってさらに実行可能である、Ｃ１５に記載の装置。
[Ｃ１８]  前記命令は、
チャネルリザベーション信号に関するリソースブロック割り当てをｅノードＢから受信することと、
前記先行するサブフレームにおけるリソースブロックへの割り当てを持つ第２のアップリンク許可に関してモニタリングすることと、
をするために前記プロセッサによってさらに実行可能であり、ここにおいて、
前記リソースブロックは、前記第２のアップリンク許可において受信される前記割り当てに基づいて決定され、
前記リソースブロックは、第２のアップリンク許可が受信されないという条件で、前記チャネルリザベーション信号に関する前記割り当てに基づいて決定される、
Ｃ１５に記載の装置。
[Ｃ１９]  前記チャネルリザベーション信号に関する前記割り当ては、他のＵＥと共用される、Ｃ１８に記載の装置。
[Ｃ２０]  前記リソースブロックは、前記先行するサブフレームがダウンリンクサブフレームのセットからアップリンクサブフレームのセットへの移行のために使用される特殊サブフレームであるという条件で、前記アップリンク許可において受信される前記割り当てに基づいて決定される、Ｃ１８に記載の装置。
[Ｃ２１]  前記命令は、
チャネルリザベーション信号に関するリソースブロック割り当てをｅノードＢから受信するために前記プロセッサによってさらに実行可能であり、
ここにおいて、
前記リソースブロックは、前記先行するサブフレームが、ダウンリンクサブフレームのセットからアップリンクサブフレームのセットへの移行のために使用される特殊サブフレームでないという条件で、前記チャネルリザベーション信号に関する前記割り当てに基づいて決定され、
前記リソースブロックは、前記先行するサブフレームが、前記特殊サブフレームであるという条件で、前記アップリンク許可において受信される前記割り当てに基づいて決定される、
Ｃ１５に記載の装置。
[Ｃ２２]  前記チャネルリザベーション信号に関する前記リソースブロック割り当ては、他のＵＥと共用される、
Ｃ２１に記載の装置。
[Ｃ２３]  前記命令は、前記リソースブロックにおけるトーンのサブセット上で前記ＣＵＢＳを送信するために前記プロセッサによってさらに実行可能である、Ｃ１５に記載の装置。
[Ｃ２４]  前記ＣＵＢＳは、前記サブフレームにおけるシンボル境界と整列されずに、前記シンボル境界と整列されない時間に前記クリアチャネル評価を受信することに応じて、送信される、Ｃ２３に記載の装置。
[Ｃ２５]  前記命令は、
前記クリアチャネル評価を受信する前記時間におけるシンボルと次のサブフレーム境界との間の全てのシンボルを占有するための複数の追加のＣＵＢＳを送信するために前記プロセッサによってさらに実行可能である、Ｃ２３に記載の装置。
[Ｃ２６]  前記複数の追加のＣＵＢＳは、トーンの前記サブセットに割り当てられる少なくとも１つのＣＵＢＳ、およびリソースブロックインターレースの全てのトーンに割り当てられた少なくとも１つのＣＵＢＳを含む、Ｃ２５に記載の装置。
[Ｃ２７]  前記命令は、
前記ＵＥによって受信される全てのＲＢ割り当て中の第１のアップリンクサブフレームに基づいて、アップリンク送信同期境界を決定するために前記プロセッサによってさらに実行可能である、Ｃ１５に記載の装置。
[Ｃ２８]  前記命令は、
全ての第１のアップリンクサブフレームがＲＢ割り当てを有さない１つまたは複数のアップリンクサブフレームに続くことに基づいて、アップリンク送信同期境界を決定するために前記プロセッサによってさらに実行可能である、Ｃ１５に記載の装置。
[Ｃ２９]  ユーザ機器（ＵＥ）によるアップリンク送信のための装置であって、
アップリンクチャネル上のサブフレームにおけるデータ送信のためのアップリンク許可を受信するための手段と、ここにおいて、前記アップリンク許可は、リソースブロックへの割り当てを含む、
前記アップリンク許可に含まれる前記割り当てに基づいて、競争ベースのスペクトルを通じてチャネル使用ビーコン信号（ＣＵＢＳ）を送るためのリソースブロックを決定するための手段と、ここにおいて、前記ＣＵＢＳは、前記ＵＥが前記割り当てに従って後のサブフレームにおいて前記データ送信を送ることになると示すことによって、前記データ送信のための前記アップリンクチャネルをリザーブする、
前記アップリンクチャネル上で成功したクリアチャネル評価を行うことに応答して、前記リソースブロック上で先行するサブフレームにおいて前記ＣＵＢＳを送信するための手段と、ここにおいて、前記先行するサブフレームは、前記データ送信のための前記サブフレームに直接先行する、
を備える、装置。
[Ｃ３０]  アップリンク送信のためにリソースを割り振るためのコンピュータ実行可能コードを記憶するコンピュータ可読媒体であって、
アップリンクチャネル上のサブフレームにおけるデータ送信のためのアップリンク許可を受信するためのコードと、ここにおいて、前記アップリンク許可は、リソースブロックへの割り当てを含む、
前記アップリンク許可に含まれる前記割り当てに基づいて、競争ベースのスペクトルを通じてチャネル使用ビーコン信号（ＣＵＢＳ）を送るためのリソースブロックを決定するためのコードと、ここにおいて、前記ＣＵＢＳは、前記ＵＥが前記割り当てに従って後のサブフレームにおいて前記データ送信を送ることになると示すことによって、前記データ送信のための前記アップリンクチャネルをリザーブする、
前記アップリンクチャネル上で成功したクリアチャネル評価を行うことに応答して、前記リソースブロック上で先行するサブフレームにおいて前記ＣＵＢＳを送信するためのコードと、ここにおいて、前記先行するサブフレームは、前記アップリンクデータ送信のための前記サブフレームに直接先行する、
を備える、コンピュータ可読媒体。